(57)【要約】【課題】  音声信号の遅延の影響を少なくして、エレベータかご内とセンターとの間で会話が容易に行えるエレベータ遠隔監視システムを得る。【解決手段】  エレベータ通信器４とセンター側通信器５をディジタル回線網７及び電話回線網６を介して接続し、エレベータの異常時にエレベータ側通信器４からセンター側通信器５にディジタル回路網７を介して送信する異常信号、画像信号が送信されないとき、または音声信号が一定時間を超えて遅延するとき、各信号を電話回線網６を介して送信するように、送信回路網の切り替えを行うようにし、エレベータかご内とセンターとの会話を容易に行えるようにした。【選択図】        図１
2006335542.tif 000002
【特許請求の範囲】
【請求項１】
エレベータ側に配置されたエレベータ側通信器及び上記エレベータの監視を行うセンター側に配置されたセンター側通信器が、ディジタル回線網及び電話回線網により接続され、上記エレベータ側通信器と上記センター側通信器との間でエレベータかご内の音声信号を送受信するエレベータ遠隔監視システムにおいて、上記エレベータ側通信器は、上記音声信号をディジタル回線網により上記センター側通信器との間で送受信すると共に、上記音声信号が一定時間を超えて遅延する場合に、上記電話回線網を介して上記音声信号を送受信するように接続回路網の切替えを行う送受信制御回路を備えたことを特徴とするエレベータ遠隔監視システム。
【請求項２】
上記送受信制御回路は、エレベータかご内の異常信号及び画像信号を上記ディジタル回線網を介して上記センター側通信器に送信すると共に、上記異常信号または画像信号が送信されない場合には、上記送信されない信号を上記電話回線網を介して送信するように接続回路網の切替えを行うことを特徴とする請求項１記載のエレベータ遠隔監視システム。
【請求項３】
上記送受信制御回路は、上記音声信号が一定時間を超えて遅延する場合に、上記電話回線網及びディジタル回路網の双方を介して上記音声信号を送受信するように接続回路網の切替えを行うことを特徴とする請求項１記載のエレベータ遠隔監視システム。
【発明の詳細な説明】
【技術分野】
【０００１】
この発明は、エレベータのかご内とセンターとを接続し、かご内の音声及び映像をセンターに送信するエレベータ遠隔監視システムに関するものである。
【背景技術】
【０００２】
従来のエレベータ遠隔監視システムでは、エレベータかご内とセンターとは、回線使用料が安価で高速なディジタル回線（例えば、ＩＰ網など）と、回線使用料は高価であるが、災害に強い電話回線とにより接続される。
この場合に、通常は回線使用料が安価で高速なディジタル回線を使用し、災害や故障などでディジタル回線に支障が発生した場合には、回線使用料は高価であるが、災害に強い電話回線を使用するようにしていた。そして、この回線の切替えは、かご内からセンターへの異常信号、画像信号、音声信号の送信可否により行われていた。
特許文献１では、エレベータ装置Ｂ側の遠隔監視装置がデジタル通信回線網によりエレベータ管理者側の受信装置に接続され、デジタル通信回線網は、Ａ／Ｄ変換器を介してアナログ通信回線網に接続され、このアナログ通信回線網は、別のエレベータ装置Ａ側の遠隔監視装置に接続された構成であり、エレベータ装置Ａ側の遠隔監視装置は、アナログ通信回線網とデジタル通信回線網を介してエレベータ管理者側の受信装置に接続され、エレベータ装置Ｂ側の遠隔監視装置は、デジタル通信回線網を介してエレベータ管理者側の受信装置に接続されるものが示されている。
【０００３】
【特許文献１】特開２００３−３００６７９号公報（第４〜６頁、図１）
【発明の開示】
【発明が解決しようとする課題】
【０００４】
上記のような従来のエレベータ遠隔監視システムでは、かご内からセンターへの異常信号または画像信号または音声信号の送信可否のみで接続回線の変更を行うため、音声信号は送信可能でも、音声信号が遅延していた場合には、エレベータかご内とセンターとの間で会話がし難いという問題点があった。
特許文献１のものでは、デジタル通信回線網、またはデジタル通信回線網及びアナログ通信回線網を介して、遠隔監視装置と受信装置に接続するものであり、必ず経由するデジタル通信回路網の故障については言及されていなかった。
【０００５】
この発明は、上述のような課題を解決するためになされたものであり、音声信号の遅延の影響を少なくして、エレベータかご内とセンターとの間で会話が容易に行えるエレベータ遠隔監視システムを得ることを目的としている。
【課題を解決するための手段】
【０００６】
この発明に係わるエレベータ遠隔監視システムにおいては、エレベータ側に配置されたエレベータ側通信器及びエレベータの監視を行うセンター側に配置されたセンター側通信器が、ディジタル回線網及び電話回線網により接続され、エレベータ側通信器とセンター側通信器との間でエレベータかご内の音声信号を送受信するエレベータ遠隔監視システムにおいて、エレベータ側通信器は、音声信号をディジタル回線網によりセンター側通信器との間で送受信すると共に、音声信号が一定時間を超えて遅延する場合に、電話回線網を介して音声信号を送受信するように接続回路網の切替えを行う送受信制御回路を備えたものである。
【発明の効果】
【０００７】
この発明は、以上説明したように、エレベータ側に配置されたエレベータ側通信器及びエレベータの監視を行うセンター側に配置されたセンター側通信器が、ディジタル回線網及び電話回線網により接続され、エレベータ側通信器とセンター側通信器との間でエレベータかご内の音声信号を送受信するエレベータ遠隔監視システムにおいて、エレベータ側通信器は、音声信号をディジタル回線網によりセンター側通信器との間で送受信すると共に、音声信号が一定時間を超えて遅延する場合に、電話回線網を介して音声信号を送受信するように接続回路網の切替えを行う送受信制御回路を備えたので、音声信号の遅延により会話がし難い状況を回避しやすいという効果がある。
【発明を実施するための最良の形態】
【０００８】
実施の形態１．
図１は、この発明の実施の形態１によるエレベータ遠隔監視システムを示すブロック線図である。
図１において、エレベータの運行を制御するエレベータ制御盤１、センターとの会話に用いられるエレベータのかご内インターホン２、及びかご内を撮像するかご内カメラ３は、エレベータ側通信器４に接続されている。センター側通信器５は、電話回線網６及びディジタル回線網７により、エレベータ側通信器４に接続されている。センター側通信器５には、異常表示８、ヘッドセット９、モニタ１０、通信終了ボタン１１が接続されている。
エレベータ側通信器４は、次のように構成されている。
音声ディジタル化回路１２は、かご内インターホン２に接続され、画像ディジタル化回路１３は、かご内カメラ３に接続され、送受信制御回路１４は、エレベータ制御盤１と音声ディジタル化回路１２と画像ディジタル化回路１３に接続されている。電話回線Ｉ／Ｆ１５は、送受信制御回路１４と電話回線網６に接続され、ディジタル回線Ｉ／Ｆ１６は、送受信制御回路１４とディジタル回線網７に接続されている。
【０００９】
センター側通信器５は、次のように構成されている。
音声ディジタル化回路１７は、ヘッドセット９に接続され、画像ディジタル化回路１８は、モニタ１０に接続され、送受信制御回路１９は、異常表示８と音声ディジタル化回路１７と画像ディジタル化回路１８と通信終了ボタン１１に接続されている。電話回線Ｉ／Ｆ２０は、送受信制御回路１９と電話回線網６に接続され、ディジタル回線Ｉ／Ｆ２１は、送受信制御回路１９とディジタル回線網７に接続されている。
図２は、この発明の実施の形態１によるエレベータ遠隔監視システムの動作を示すフローチャートである。
【００１０】
次に、動作について説明する。
エレベータで異常が発生すると、エレベータ制御盤１から異常信号がエレベータ側通信器４の送受信制御回路１４に送信される。この異常信号は、送受信制御回路１４からエレベータ側通信器４の電話回線Ｉ／Ｆ１５を経て電話回線網６により接続されたセンター側通信器５の電話回線Ｉ／Ｆ２０へ送信され、または、エレベータ側通信器４のディジタル回線Ｉ／Ｆ１６を経てディジタル回線網７により接続されたセンター側通信器５のディジタル回線Ｉ／Ｆ２１に送信される。
センター側通信器５の電話回線Ｉ／Ｆ２０またはディジタル回線Ｉ／Ｆ２１に送信された異常信号は、センター側通信器５の送受信制御回路１９に送信され、送受信制御回路１９は、異常表示８に異常信号を表示する。
【００１１】
かご内インターホン２のアナログ音声信号は、エレベータ側通信器４の音声ディジタル化回路１２に送信され、音声ディジタル化回路１２にてディジタル圧縮され、ディジタル音声信号としてエレベータ側通信器４の送受信制御回路１４に送信される。このディジタル音声信号は、送受信制御回路１４からエレベータ側通信器４の電話回線Ｉ／Ｆ１５を経て電話回線網６に接続されたセンター側通信器５の電話回線Ｉ／Ｆ２０に送信され、または、エレベータ側通信器４のディジタル回線Ｉ／Ｆ１６を経てディジタル回線網７に接続されたセンター側通信器５のディジタル回線Ｉ／Ｆ２１に送信される。
センター側通信器５の電話回線Ｉ／Ｆ２０またはディジタル回線Ｉ／Ｆ２１に送信されたディジタル音声信号は、センター側通信器５の送受信制御回路１９に送信され、送受信制御回路１９は、ディジタル音声信号を音声ディジタル化回路１７に送信し、音声ディジタル化回路１２にてディジタル伸張され、アナログ音声信号として、ヘッドセット９に送信される。
以上の通り、かご内インターホン２の音声は、ヘッドセット９に送信される。上記の逆ルートにて、ヘッドセット９の音声は、かご内インターホン２に送信される。
【００１２】
また、かご内カメラ３のアナログ映像信号は、エレベータ側通信器４の画像ディジタル化回路１３に送信され、音声ディジタル化回路１３にてディジタル圧縮され、ディジタル画像信号として、エレベータ側通信器１４の送受信制御回路１４に送信される。このディジタル画像信号は、送受信制御回路１４からエレベータ側通信器４の電話回線Ｉ／Ｆ１５を経て電話回線網６により接続されたセンター側通信器５の電話回線Ｉ／Ｆ２０に送信され、または、エレベータ側通信器４のディジタル回線Ｉ／Ｆ１６を経てディジタル回線網７により接続されたセンター側通信器５のディジタル回線Ｉ／Ｆ２１に送信される。
センター側通信器５の電話回線Ｉ／Ｆ２０またはディジタル回線Ｉ／Ｆ２１に送信されたディジタル画像信号は、センター側通信器５の送受信制御回路１９に送信され、送受信制御回路１９は、ディジタル画像信号を画像ディジタル化回路１８に送信し、画像ディジタル化回路１８にてディジタル伸張され、アナログ画像信号として、モニタ１０に送信される。
以上の通り、かご内カメラ３の画像は、モニタ１０に送信される。
【００１３】
通信終了ボタン１１が押されると、通信終了信号がセンター側通信器５の送受信制御回路１９に送信される。この通信終了信号は、送受信制御回路１９からセンター側通信器５の電話回線Ｉ／Ｆ２０を経て電話回線網６により接続されたエレベータ側通信器４の電話回線Ｉ／Ｆ１５に送信され、または、センター側通信器５のディジタル回線Ｉ／Ｆ２１を経てディジタル回線網７により接続されたエレベータ側通信器４のディジタル回線Ｉ／Ｆ１６に送信される。
エレベータ側通信器４の電話回線Ｉ／Ｆ１５またはディジタル回線Ｉ／Ｆ１６に送信された通信終了信号は、エレベータ側通信器５の送受信制御回路１４に送信される。
このように、エレベータ側通信器４とセンター側通信器５との通信が行われる。
【００１４】
次に、図２のフローチャートを用いて、電話回線網６とディジタル回線網７との切換について説明する。
エレベータ制御盤１より異常信号を受ける（ステップＳ１）と、エレベータ側通信器４は、ディジタル回線網７にてセンター側通信器５と接続し（ステップＳ２）、異常信号、音声信号、画像信号を送受信する（ステップＳ３〜Ｓ５）。センターより通信終了信号を受信する（ステップＳ６）と、接続を切断する（ステップＳ７）。
接続中に、異常信号が送信できない場合（ステップＳ３）、または、画像信号が送信できない場合（ステップＳ４）、または、音声信号の遅延が一定時間（例えば、０．４秒）以内でない場合（ステップＳ５）で、且つ、全信号の接続回線がディジタル回線網７の場合（ステップＳ８）には、全ての信号の接続を電話回線網６に変更する（ステップＳ９）。また、接続中に、異常信号が送信できない場合（ステップＳ３）、または、画像信号が送信できない場合（ステップＳ４）、または、音声信号の遅延が一定時間（例えば、０．４秒）以内でない場合（ステップＳ５）で、且つ、全信号の接続回線がディジタル回線網７でない場合（ステップＳ８）には、全ての信号を電話回線網６にて再接続する（ステップＳ１０）。
なお、この接続回路網の変更及び再接続は、エレベータ側通信器４の送受信制御回路１４により行われ、この送受信制御回路１４では、例えば信号を送信し、相手側から一定時間以内に確認信号が来ない場合に送信不可と判断する。音声信号の場合には、遅延時間を確認する。
上記のように、通常は回線使用料が安価で高速なディジタル回線網（例えばＩＰ網など）を使用し、災害や故障などでディジタル回線網に支障が発生した場合には、回線使用料は高価であるが、災害に強い電話回線網を使用する。
【００１５】
実施の形態１によれば、接続中に、異常信号が送信できない場合、または、画像信号が送信できない場合、または、音声信号の遅延が一定時間(例えば、０．４秒)以内でない場合には、全ての信号の接続を電話回線網に変更または電話回線網に再接続するので、音声信号の遅延により会話がし難い状況を回避しやすい。
【００１６】
実施の形態２．
実施の形態２の構成は、図１と同じであり、図１を援用して説明する。
図３は、この発明の実施の形態２によるエレベータ遠隔監視システムの動作を示すフローチャートである。
【００１７】
次に、図３のフローチャートを用いて、電話回線網６とディジタル回線網７との切換について説明する。
エレベータ制御盤１より異常信号を受ける（ステップＳ１）と、エレベータ側通信器４はディジタル回線７にてセンター側通信器５と接続し（ステップＳ２）、異常信号、音声信号、画像信号を送受信する（ステップＳ３〜Ｓ５）。センターより通信終了を受信する（ステップＳ６）と、接続を切断する（ステップＳ７）。
接続中に、異常信号が送信できない場合（ステップＳ３）で、且つ、異常信号の接続回線がディジタル回線網７の場合（ステップＳ１１）には、異常信号の接続を電話回線網６に変更する（ステップＳ１２）。また、接続中に、異常信号が送信できない場合（ステップＳ３）で、且つ、異常信号の接続回線がディジタル回線網７でない場合（ステップＳ１１）には、異常信号を電話回線網６に再接続する（ステップＳ１３）。
【００１８】
接続中に、画像信号が送信できない場合（ステップＳ４）で、且つ、画像信号の接続回線がディジタル回線網７の場合（ステップＳ１４）には、画像信号の接続を電話回線網６に変更する（ステップＳ１５）。また、接続中に、画像信号が送信できない場合（ステップＳ４）で、且つ、画像信号の接続回線がディジタル回線網７でない場合（ステップＳ１４）には、画像信号を電話回線網６に再接続する（ステップＳ１６）。
【００１９】
接続中に、音声信号の遅延が一定時間（例えば、０．４秒）以内でない場合（ステップＳ５）で、且つ、音声信号の接続回線がディジタル回線網７の場合（ステップＳ１７）には、音声信号の接続を電話回線網６に変更する（ステップＳ１８）。また、接続中に、音声信号の遅延が一定時間（例えば、０．４秒）以内でない場合（ステップＳ５）で、且つ、音声信号の接続回線がディジタル回線網７でない場合（ステップＳ１７）には、音声信号を電話回線網６にて再接続する（ステップＳ１９）。
なお、この接続回路網の変更及び再接続は、エレベータ側通信器４の送受信制御回路１４により行われ、この送受信制御回路１４では、例えば信号を送信し、相手側から一定時間以内に確認信号が来ない場合に送信不可と判断する。音声信号の場合には、遅延時間を確認する。
上記のように、通常は回線使用料が安価で高速なディジタル回線網（例えば、ＩＰ網など）を使用し、災害や故障などでディジタル回線網に支障が発生した場合には、回線使用料は高価であるが災害に強い電話回線網を使用する。
【００２０】
実施の形態２によれば、接続中に、異常信号が送信できない場合、または画像信号が送信できない場合、または音声信号の遅延が一定時間(例えば、０．４秒)以内でない場合には、それぞれの信号を電話回線網に変更または電話回線網に再接続するので、音声信号の遅延により会話がしにくい状況を回避しやすい。
【００２１】
実施の形態３．
実施の形態３の構成は、図１と同じであり、図１を援用して説明する。
図４は、この発明の実施の形態３によるエレベータ遠隔監視システムの動作を示すフローチャートである。
【００２２】
次に、図４のフローチャートを用いて、電話回線網６とディジタル回線網７との切換について説明する。
図４のステップＳ１〜Ｓ７、ステップS１１〜Ｓ１６は、図３のステップＳ１〜Ｓ７、ステップS１１〜Ｓ１６と同じ処理であるので、その説明を省略する。
【００２３】
図３のステップＳ１７、Ｓ１８、Ｓ１９の処理が、図４ではステップＳ２０、Ｓ２１、Ｓ２２の処理に変わっている。
すなわち、接続中に、音声信号の遅延が一定時間（例えば、０．４秒）以内でない場合（ステップＳ５）で、且つ、音声信号の接続回線がディジタル回線網７のみの場合（ステップＳ２０）には、音声信号の接続をディジタル回線網７と電話回線網６双方の接続に変更する（ステップＳ２１）。
また、接続中に、音声信号の遅延が一定時間（例えば、０．４秒）以内でない場合（ステップＳ５）で、且つ、音声信号の接続回線がディジタル回線網７のみでない場合（ステップＳ２０）には、音声信号をディジタル回線網７と電話回線網６双方にて再接続する（ステップＳ２２）。
なお、この接続回路網の変更及び再接続は、エレベータ側通信器４の送受信制御回路１４により行われ、この送受信制御回路１４では、例えば信号を送信し、相手側から一定時間以内に確認信号が来ない場合に送信不可と判断する。音声信号の場合には、遅延時間を確認する。
上記のように、通常は回線使用料が安価で高速なディジタル回線網（例えば、ＩＰ網など）を使用し、災害や故障などでディジタル回線網に支障が発生した場合には、回線使用料は高価であるが、災害に強い電話回線網を使用する。
【００２４】
実施の形態３によれば、接続中に、音声信号の遅延が一定時間(例えば、０．４秒)以内でない場合には、音声信号の接続回線がディジタル回線網のみの場合かどうかにより、音声信号の接続をディジタル回線網と電話回線網双方の接続に変更、または双方に再接続するので、音声信号の遅延により会話がし難い状況をより回避しやすい。
【図面の簡単な説明】
【００２５】
【図１】この発明の実施の形態１〜実施の形態３によるエレベータ遠隔監視システムを示すブロック線図である。
【図２】この発明の実施の形態１によるエレベータ遠隔監視システムの動作を示すフローチャートである。
【図３】この発明の実施の形態２によるエレベータ遠隔監視システムの動作を示すフローチャートである。
【図４】この発明の実施の形態３によるエレベータ遠隔監視システムの動作を示すフローチャートである。
【符号の説明】
【００２６】
１  エレベータ制御盤、２  かご内インターホン、３  かご内カメラ、
４  エレベータ側通信器、５  センター側通信器、６  電話回線網、
７  ディジタル回線網、８  異常表示、９  ヘッドセット、１０  モニタ、
１１  通信終了ボタン、１２  音声ディジタル化回路、
１３  画像ディジタル化回路、１４，１９  送受信制御回路、
１５，２０  電話回線Ｉ／Ｆ、１６，２１  ディジタル回線Ｉ／Ｆ、
１７  音声ディジタル化回路、１８  画像ディジタル化回路。
【図１】
2006335542.tif 000003
【図２】
2006335542.tif 000004
【図３】
2006335542.tif 000005
【図４】
2006335542.tif 000006